(57)【要約】【課題】  ＤＶＤ等の光ディスクユニットとＨＤＤ等の磁気ディスクユニットとを内蔵しかつ磁気ディスクユニットのサービス性が良好な記録再生装置を提供する。【解決手段】  筐体１１の内部に回路板ユニット１４，１５，１６と、ＤＶＤユニット１２と、ＨＤＤユニット１３が配置されている。回路板ユニット１４，１５，１６はベースシャーシ２０に固定されている。ＤＶＤユニット１２は、ねじ部材６７，８２によってベースシャーシ２０に固定されている。ＨＤＤユニット１３は、第１の取付部１１０と第２の取付部１２０を有している。第１の取付部１１０は、ＤＶＤユニット１２に設けられた支持部９０に対して上から重ねた状態で、ねじ部材１１３によって固定される。第２の取付部１２０は、回路板ユニット１５に対して上から重ねた状態で、ねじ部材１２１によってベースシャーシ２０に共締めされる。ＤＶＤユニット１２をベースシャーシ２０に固定した状態のまま、ＨＤＤユニット１３を最初に取外すことができる。【選択図】      図４
2008090891.tif 000002
【特許請求の範囲】
【請求項１】
ベースシャーシおよび該ベースシャーシを覆うカバー部材を有する筐体と、
前記筐体の内部に配置される回路板ユニットと、
前記筐体の内部に配置される光ディスクユニットと、
前記筐体の内部に配置される磁気ディスクユニットと、
前記回路板ユニットを前記ベースシャーシに固定する回路板固定手段と、
前記光ディスクユニットを前記ベースシャーシに固定する光ディスク固定手段と、
前記磁気ディスクユニットを前記ベースシャーシに固定する磁気ディスク固定手段とを有し、
前記磁気ディスク固定手段は、
前記磁気ディスクユニットに設けられ前記光ディスクユニットの支持部の上に重ねて固定される第１の取付部と、
前記磁気ディスクユニットに設けられ前記ベースシャーシ上に固定される第２の取付部と、
を具備したことを特徴とする記録再生装置。
【請求項２】
前記第２の取付部を前記回路板ユニットの上に重ね、前記第２の取付部と前記回路板ユニットとをねじ部材によって前記ベースシャーシに共締めしたことを特徴とする請求項１に記載の記録再生装置。
【請求項３】
前記光ディスクユニットがＤＶＤ（Digital Versatile Disc）ユニット、前記磁気ディスクユニットがＨＤＤ（Hard Disc Drive）ユニットであり、前記第１の取付部を前記ＤＶＤユニットの前記支持部の上に重ねた状態で前記第１の取付部と前記支持部とをねじ部材によって互いに固定し、前記ＤＶＤユニットを前記ベースシャーシに固定した状態において前記ＨＤＤユニットを前記ＤＶＤユニットに対して着脱可能としたことを特徴とする請求項２に記載の記録再生装置。
【請求項４】
前記ＤＶＤユニットに形成された第１の位置決め部と、前記ベースシャーシのＤＶＤ支持部に形成され前記第１の位置決め部が上方から嵌合する第１の嵌合部とを有し、前記第１の位置決め部を前記第１の嵌合部に嵌合させた状態において前記ＤＶＤユニットをねじ部材によって前記ＤＶＤ支持部に固定したことを特徴とする請求項３に記載の記録再生装置。
【請求項５】
前記ＤＶＤユニットの前記支持部に形成された第２の位置決め部と、前記ＨＤＤユニットに形成され前記第２の位置決め部に対し上方から嵌合する第２の嵌合部とを有し、前記第２の位置決め部に前記第２の嵌合部を嵌合させた状態において前記ＨＤＤユニットをねじ部材によって前記ＤＶＤユニットの前記支持部に固定したことを特徴とする請求項４に記載の記録再生装置。
【発明の詳細な説明】
【技術分野】
【０００１】
本発明は、筐体の内部にＤＶＤ等の光ディスクユニットとＨＤＤ等の磁気ディスクユニットが配置された記録再生装置に関する。
【背景技術】
【０００２】
下記特許文献１に示されるように、１つの筐体の内部にＤＶＤ（Digital Versatile Disc）ユニットとＨＤＤ（Hard Disc Drive）ユニットとを配置した記録再生装置が提案されている。特許文献１によれば、筐体の内部にＤＶＤユニットとＨＤＤユニットが並設され、さらにＤＶＤユニットを制御するＭＰＥＧ基板がＨＤＤユニット上に固定されている。またＨＤＤユニットの下部に形成される空間部にマイクロコンピュータ等の比較的高さが低い電子部品が実装される。これにより筐体の薄型化が図られている。
【特許文献１】特開２００６−６６０３５号公報
【発明の開示】
【発明が解決しようとする課題】
【０００３】
記録再生装置の薄型化を図るために、例えばＤＶＤユニットとＨＤＤユニットと回路板ユニット等を共通のねじ部材によって共締めすることが考えられた。しかしながら複数のユニットを単に共締めした場合には、例えばＨＤＤユニットのように他のユニットと比べて故障する可能性があるユニットに不具合が生じたときなどに、ＨＤＤユニット以外に他のユニットも筐体から取外す必要が生じるなど、サービス性が悪化する懸念がある。
【０００４】
そこで本発明の目的は、ＨＤＤ等の磁気ディスクユニットのサービス性を犠牲にすることなく複数種類のユニットを１つの筐体の内部にコンパクトに組込むことができる記録再生装置を提供することにある。
【課題を解決するための手段】
【０００５】
本発明の一つの形態に係る記録再生装置は、ベースシャーシおよび該ベースシャーシを覆うカバー部材を有する筐体と、前記筐体の内部に配置される回路板ユニットと、前記筐体の内部に配置される光ディスクユニットと、前記筐体の内部に配置される磁気ディスクユニットと、前記回路板ユニットを前記ベースシャーシに固定する回路板固定手段と、前記光ディスクユニットを前記ベースシャーシに固定する光ディスク固定手段と、前記磁気ディスクユニットを前記ベースシャーシに固定する磁気ディスク固定手段とを有し、前記磁気ディスク固定手段は、前記磁気ディスクユニットに設けられ前記光ディスクユニットの支持部の上に重ねて固定される第１の取付部と、前記磁気ディスクユニットに設けられ前記ベースシャーシ上に固定される第２の取付部とを具備している。
【発明の効果】
【０００６】
本発明によれば、ＤＶＤ等の光ディスクユニットとＨＤＤ等の磁気ディスクユニットと回路板ユニットとを１つの筐体の内部にコンパクトに組込むことができ、しかもＨＤＤ等の磁気ディスクユニットのサービス性を良くすることができる。
【発明を実施するための最良の形態】
【０００７】
以下に本発明に係る記録再生装置の一つの実施形態について、図１から図８を参照して説明する。  
図１に示す記録再生装置１０は、筐体１１の内部に、光ディスクユニットの一例であるＤＶＤユニット１２と、磁気ディスクユニットの一例であるＨＤＤユニット１３と、これら各ユニット１２，１３等を機能させるための電気回路をなす回路板ユニット１４，１５，１６などを備えている。ＤＶＤユニット１２とＨＤＤユニット１３は、互いに水平方向に並んで配置されている。
【０００８】
筐体１１は、ベースシャーシ２０（図２に示す）と、ベースシャーシ２０を上から覆うカバー部材２１と、ベースシャーシ２０の前部に配置されるフロントパネル２２などによって構成されている。フロントパネル２２に、操作部２５や表示部２６と、開閉可能なＤＶＤ用の扉部２７などが設けられている。フロントパネル２２の内側に、スイッチ素子や表示管などが配置されたスイッチ基板２８（図２に示す）と基板ブラケット２９などが設けられている。
【０００９】
図３と図４に示すようにベースシャーシ２０は、底板４０と、左右一対の側板４１，４２と、後板４３などを有している。底板４０の上に前記回路板ユニット１４，１５，１６が配置されている。第１の回路板ユニット１４は主に電源関係等を担うマザーユニットであり、ねじ部材４４（図３に一部のみ示す）によってベースシャーシ２０に固定されている。
【００１０】
第２の回路板ユニット１５には、主たるマイクロコンピュータ１７やディジタルチューナ１８等が実装され、ディジタルユニットとして機能するようになっている。第２の回路板ユニット１５は、ねじ部材４５（図３に示す）によってベースシャーシ２０に固定されている。第３の回路板ユニット１６にユーザ識別用のカードスロット５０が実装されている。第３の回路板ユニット１６は、ねじ部材５１によってベースシャーシ２０に固定されている。
【００１１】
これらのねじ部材４４，４５，５１は、回路板ユニット１４，１５，１６をベースシャーシ２０に固定するための回路板固定手段として機能する。図３と図５に示すように、ベースシャーシ２０の後板４３に、アナログチューナ５５やモデム５６、ファン５７などが取付けられている。
【００１２】
図６に示すようにＤＶＤユニット１２は、ＤＶＤ本体６０と、板金製のブラケット６１（これ以降、ＤＶＤブラケットと呼ぶ）とを備えている。ＤＶＤ本体６０の内部にＤＶＤディスクや駆動機構および記録再生用の光学ヘッドなどが収納されている。ＤＶＤ本体６０の前面に開閉可能な蓋６２が設けられている。この蓋６２は、フロントパネル２２の扉部２７と対応した位置にあり、ＤＶＤ本体６０の内部のトレイ上のディスクを出し入れすることができるようになっている。
【００１３】
図３から図５に示されるように、ＤＶＤブラケット６１の一方の側部６１ａに前後一対の取付部６５が形成されている。これら取付部６５は、ＤＶＤブラケット６１の一部を略水平方向に折曲することによって構成され、ベースシャーシ２０の一方の側板４１の上端のフランジ部６６に、ねじ部材６７によって固定される。
【００１４】
図６に示すようにＤＶＤブラケット６１の他方の側部６１ｂの下端に、前後一対の取付部７０，７１が形成されている。これら取付部７０，７１は、ＤＶＤブラケット６１の下端を略水平方向に折曲することによって構成されている。図７に拡大して示すように、前側の取付部７０に、上下方向に貫通するねじ挿入孔７２と、第１の位置決め部として機能する凸部７３が形成されている。この凸部７３は取付部７０の下方に突出している。後側の取付部７１（図６に示す）に、上下方向に貫通するねじ挿入孔７４が形成されている。
【００１５】
図７に示すようにベースシャーシ２０にＤＶＤ支持部８０が形成されている。このＤＶＤ支持部８０に、第１の嵌合部として機能する孔８１と、タッピングスクリュー等のねじ部材８２をねじ込むためのねじ孔８３が形成されている。第１の嵌合部として機能する孔８１は、第１の位置決め部として機能する凸部７３と対応した位置に形成され、この凸部７３が孔８１の上方から嵌合することができるようになっている。前記取付部６５，７０，７１とねじ部材６７，８２は、ＤＶＤユニット１２をベースシャーシ２０の所定位置に固定するための光ディスク固定手段として機能する。
【００１６】
図６と図８に示されるように、ＤＶＤブラケット６１の側部６１ｂの上下方向中間部に前後一対の支持部９０，９１が形成されている。これら支持部９０，９１は、ＤＶＤブラケット６１一部を略水平方向に折曲することによって構成されている。前側の支持部９０に、上下方向に貫通するねじ孔９２が形成されている。後側の支持部９１に、上下方向に貫通するねじ孔９３と、第２の位置決め部として機能する孔９４が形成されている。この孔９４は支持部９１を上下方向に貫通している。
【００１７】
ＨＤＤユニット１３は、ＨＤＤ本体１００と、板金製のブラケット１０１（これ以降、ＨＤＤブラケットと呼ぶ）とを備えている。ＨＤＤ本体１００の内部に、磁気ディスクや駆動機構および記録再生用の磁気ヘッドなどが収納されている。
【００１８】
図８に示すように、ＨＤＤブラケット１０１の一方の側部１０１ａに第１の取付部１１０が設けられている。第１の取付部１１０はＨＤＤブラケット１０１の一部を略水平方向に折曲げることによって構成され、ＤＶＤブラケット６１の支持部９０，９１の上から重ねることができる形状となっている。第１の取付部１１０には、支持部９０，９１のねじ孔９２，９３と対応する位置にねじ挿入孔１１１，１１２が形成されている。このねじ挿入孔１１１，１１２に、タッピングスクリュー等のねじ部材１１３，１１４が挿入され、前記支持部９０，９１のねじ孔９２，９３にねじ込まれるようになっている。またこの第１の取付部１１０に、第２の嵌合部として機能する凸部１１５が形成されている。凸部１１５は第１の取付部１１０の下面側に突出している。この凸部１１５は、ＤＶＤブラケット６１の孔９４（第２の位置決め部）と対応した位置に形成され、孔９４に対して上方から嵌合することができるようになっている。
【００１９】
図２と図３に示すように、ＨＤＤブラケット１０１の他方の側部１０１ｂの前寄り位置に、第２の取付部１２０が設けられている。この第２の取付部１２０は、ＨＤＤブラケット１０１の下端を略水平方向に折曲げることによって構成され、回路板ユニット１６の上に重ねることができる形状となっている。第２の取付部１２０と回路板ユニット１６は、ねじ部材１２１によってベースシャーシ２０に共締めされる。
【００２０】
さらにＨＤＤブラケット１０１の側部１０１ｂの後寄り位置に、第３の取付部１３０が設けられている。第３の取付部１３０もＨＤＤブラケット１０１の下端を略水平方向に折曲げることによって構成され、回路板ユニット１５の上に重ねることができる形状となっている。第３の取付部１３０と回路板ユニット１５は、ねじ部材１３１によってベースシャーシ２０に共締めされる。
【００２１】
前記支持部９０，９１と、第１の取付部１１０と、ねじ部材１１３，１１４と、第２の取付部１２０と、第３の取付部１３０と、ねじ部材１２１，１３１は、ＨＤＤユニット１３をベースシャーシ２０上の所定位置に固定するための磁気ディスク固定手段として機能する。
【００２２】
以下に本実施形態の記録再生装置１０のＤＶＤユニット１２とＨＤＤユニット１３を組付ける手順と、取外す手順について説明する。
【００２３】
ベースシャーシ２０に回路板ユニット１４，１５，１６をそれぞれねじ部材４４，４５，５１（図３に一部のみ示す）によって固定する。またベースシャーシ２０の上方から、ＤＶＤブラケット６１の凸部（第１の位置決め部）７３をＤＶＤ支持部８０の孔（第１の嵌合部）８１に嵌合させる。こうすることにより、ベースシャーシ２０に対するＤＶＤユニット１２の位置がある程度決まる。
【００２４】
さらにＤＶＤブラケット６１の取付部６５をベースシャーシ２０のフランジ部６６の上に重ね、ねじ部材６７によってフランジ部６６に固定する。またＤＶＤブラケット６１の前側の取付部７０をねじ部材８２によってＤＶＤ支持部８０に固定する。ＤＶＤブラケット６１の後側の取付部７１をねじ部材（図示せず）によってベースシャーシ２０に固定する。
【００２５】
こうしてＤＶＤユニット１２をベースシャーシ２０上の所定位置に固定したのち、ＨＤＤユニット１３を組付ける。すなわち、ＨＤＤブラケット１０１の第１の取付部１１０をベースシャーシ２０の上方からＤＶＤブラケット６１の支持部９０，９１の上に重ねるとともに、第１の取付部１１０の凸部（第２の嵌合部）１１５をＤＶＤブラケット６１の孔（第２の位置決め部）９４に嵌合させる。こうすることにより、ＤＶＤユニット１２に対するＨＤＤユニット１３の位置が決まる。
【００２６】
こうして位置決めされた状態のもとで、第１の取付部１１０をねじ部材１１３，１１４によって支持部９０，９１に固定する。なお、一方のねじ部材１１３のみによって第１の取付部１１０を支持部９０に固定し、他方のねじ部材１１４を省略すれば、ねじ部材の数をさらに減らすことができる。
【００２７】
一方、ＤＶＤブラケット６１の第２の取付部１２０を回路板ユニット１６の上に重ね、ねじ部材１２１によって第２の取付部１２０と回路板ユニット１６とをベースシャーシ２０に共締めする。さらにＤＶＤブラケット６１の第３の取付部１３０を回路板ユニット１５の上に重ね、ねじ部材１３１によって第３の取付部１３０と回路板ユニット１５とをベースシャーシ２０に共締めする。
【００２８】
以上のようにして、ＤＶＤユニット１２と、ＨＤＤユニット１３と、回路板ユニット１４，１５，１６とが、ベースシャーシ２０上の所定位置に固定される。そののちカバー部材２１をベースシャーシ２０に被せ、図示しないねじ部材によってカバー部材２１をベースシャーシ２０の側板４１，４２等に固定する。
【００２９】
例えばＨＤＤユニット１３に不具合が生じるなどしてＨＤＤユニット１３を取外す必要が生じたときには、まずカバー部材２１をベースシャーシ２０から外す。そしてねじ回し等の工具によってねじ１１３，１１４を支持部９０，９１から取り外す。また、ねじ部材１２１，１３１も取外す。こうすることにより、ＨＤＤユニット１３を取出すことができるようになる。すなわち、ＤＶＤユニット１２と回路板ユニット１４，１５，１６とをベースシャーシ２０に固定した状態のまま、ＨＤＤユニット１３のみを最初に取外すことができる。
【００３０】
このため、ＤＶＤユニット１２や回路板ユニット１４，１５，１６と比較して故障する可能性が高いと言われているＨＤＤユニット１３を、ＤＶＤユニット１２や回路板ユニット１４，１５，１６をベースシャーシ２０から外すことなく取外すことができる。このためＨＤＤユニット１３のサービス性が向上する。ＤＶＤユニット１２や回路板ユニット１４，１５，１６は構造的に故障することは非常に稀であるが、万一、不具合が生じてベースシャーシ２０から取外す必要が生じた場合には、ＨＤＤユニット１３を取外したのち、必要に応じてＤＶＤユニット１２あるいは回路板ユニット１４，１５，１６を取外せばよい。
【００３１】
以上説明したように、本実施形態のＤＶＤユニット１２やＨＤＤユニット１３および回路板ユニット１４，１５，１６は、全てベースシャーシ２０の上方から前述の取付け作業と取外し作業を行なうことができる。しかもＤＶＤユニット１２をベースシャーシ２０に組付ける際には、ＤＶＤブラケット６１の凸部（第１の位置決め部）７３をベースシャーシ２０の孔（第１の嵌合部）８１に対して上方から嵌合させることにより、ベースシャーシ２０に対するＤＶＤユニット１２の位置決めをなすことができるとともに、ＨＤＤユニット１３を組付ける際には、ＤＶＤブラケット６１の孔（第２の位置決め部）９４にＨＤＤブラケット１０１の凸部（第２の嵌合部）１１５を上方から嵌合させることにより、ＤＶＤユニット１２に対するＨＤＤユニット１３の位置決めをなすことができる。このためＤＶＤユニット１２とＨＤＤユニット１３の組付作業を容易に行なうことができる。
【００３２】
ＤＶＤユニット１２とＨＤＤユニット１３が互いに水平方向に並設されている。そしてＨＤＤユニット１３の第１の取付部１１０が、ＤＶＤユニット１２の一部であるＤＶＤブラケット６１に形成された支持部９０，９１に固定され、さらにＨＤＤユニット１３の第２の取付部１２０が、回路板ユニット１６と共にベースシャーシ２０に固定（共締め）される。またＨＤＤユニット１３の第３の取付部１３０が、回路板ユニット１５と共にベースシャーシ２０に固定（共締め）される。このため、薄型の筐体１１の内部にＤＶＤユニット１２とＨＤＤユニット１３をコンパクトに収納することが可能となり、ねじ部材の数も減らすことができた。
【００３３】
なお本発明は、前記実施形態で説明した記録再生装置１０に限ることはなく、要するに筐体の内部に光ディスクユニットと磁気ディスクユニットと回路板ユニットとが配置された記録再生装置であれば同様に適用することができる。
【図面の簡単な説明】
【００３４】
【図１】本発明の一実施形態に係る記録再生装置の斜視図。
【図２】図１に示された記録再生装置の一部をカバー部材を外した状態で示す斜視図。
【図３】図１に示された記録再生装置の内部を示す平面図。
【図４】図１に示された記録再生装置の内部を示す正面図。
【図５】図１に示された記録再生装置の内部を示す斜視図。
【図６】図１に示された記録再生装置のＤＶＤユニットの斜視図。
【図７】図１に示された記録再生装置のＤＶＤ支持部を示す斜視図。
【図８】図１に示された記録再生装置のＤＶＤユニットの一部とＨＤＤユニットの一部を示す斜視図。
【符号の説明】
【００３５】
１０…記録再生装置、１１…筐体、１２…ＤＶＤユニット（光ディスクユニット）、１３…ＨＤＤユニット（磁気ディスクユニット）、１４，１５，１６…回路板ユニット、２０…ベースシャーシ、２１…カバー部材、７３…凸部（第１の位置決め部）、８１…孔（第１の嵌合部）、９０，９１…支持部、９４…孔（第２の位置決め部）、１１０…第１の取付部、１１５…凸部（第２の嵌合部）、１２０…第２の取付部。
【図１】
2008090891.tif 000003
【図２】
2008090891.tif 000004
【図３】
2008090891.tif 000005
【図４】
2008090891.tif 000006
【図５】
2008090891.tif 000007
【図６】
2008090891.tif 000008
【図７】
2008090891.tif 000009
【図８】
2008090891.tif 000010